(57)【特許請求の範囲】
【請求項１】
ビデオカメラ等の結合面または該結合面に装着したアダプタプレートに着脱自在に装着可能なバッテリであって、
上記ビデオカメラ等の結合面または上記アダプタプレートに設けたＶ字状の受け溝とあり差し方式で嵌合するためのＶ字状の係合部を一面側に備えるバッテリにおいて、
上記Ｖ字状の係合部を有する他のバッテリをあり差し方式で連結するために、上記ビデオカメラ等に装着する一面と対向する他面に、上記ビデオカメラ等の結合面または上記アダプタプレートに設けたＶ字状の受け溝と同形のＶ字状の受け溝を設けてなり、
上記ビデオカメラ等に装着する一面は、
上記Ｖ字状の係合部の両側で該Ｖ字状の係合部より上部それぞれに、上記ビデオカメラ等の結合面または上記アダプタプレートとの電気的接続用の端子と、該端子を覆うスライドカバーとを設け、
該スライドカバーの外側位置には、上記Ｖ字状の係合部を有する他のバッテリをあり差し方式で連結する際のガイド溝がそれぞれ形成してあり、
上記ビデオカメラ等に装着する一面と対向する他面に、
上部には、上記ビデオカメラ等の結合面または上記アダプタプレートとの電気的接続用の端子と電気的に接続させる信号端子部と、
上記ガイド溝内に挿入可能なガイド突起とが設けてある
ことを特徴とするバッテリ。
【請求項２】
上記ビデオカメラ等に装着する一面と対向する他面の、上記ビデオカメラ等の結合面または上記アダプタプレートに設けたＶ字状の受け溝と同形のＶ字状の受け溝の下端に、上記アダプタプレートや同じ構造のバッテリを係止するための突起が設けてあることを特徴とする請求項１のバッテリ。
【請求項３】
自己容量を出力する回路と、上記他のバッテリからの自己容量出力を入力する端子と、上記自己容量出力回路の出力と上記入力端子からの入力とを平均して出力する平均化回路とを内蔵することを特徴とする請求項１または２のバッテリ。
【発明の詳細な説明】
技術分野
本発明は、ビデオカメラ等に着脱自在に装着するバッテリに関し、多くは業務用のビデオカメラのように大型のものの背面側に装着して用いられているバッテリに関する。
背景技術
ビデオカメラのうちでも業務用あるいはプロ用と称される大型のものでは、図１（Ａ）に示すように、ビデオカメラ１の背面側（レンズ２と反対側。以下同じ。）にアダプタプレート３を取り付け、このアダプタプレート３にバッテリ４を直接に装着するか、図１（Ｂ）に示すように、アダプタプレート３に箱状のホルダ５を装着し、このホルダ５内に１個または２個のバッテリ４を挿入するかしている。
図１（Ａ）に示す例の場合、詳細な図示は省略するが、アダプタプレート３は、例えば日本国特許公開第７―１４３３７２号公報等に示されるような、Ｖ字状の受け溝とＶ字状の係合部とをあり差し方式で嵌合させてビデオカメラ１の後端面である垂直状の結合面６に取り付ける。ビデオカメラ１に取り付けた状態で外側を向くアダプタプレート３のバッテリ取り付け面には、取り付けるべきバッテリ４の装着構造に合わせた取り付け構造が設けてある。したがって、このような構造では、バッテリ４の残容量が所定値以下になった場合、そのバッテリ４を取り外し、新たなバッテリを装着して使用することになる。また図１（Ｂ）に示す例の場合、これも詳細な図示は省略するが、ホルダ５のアダプタプレート３への取り付け面にはバッテリと同じ装着構造が設けてある。この例の場合は、残容量が所定値以下になったほうのバッテリ４をホルダ５から抜き出し、新たなバッテリを装着して使用することになる。
これらのバッテリの装着構造は、いずれも便利なものであるが、図１（Ａ）に示す例の場合には複数のバッテリを同時に装着して使用することはもちろんできず、また図１（Ｂ）に示す例の場合は２個のバッテリを同時装着して使用できるものの、箱状のホルダという余分な構造体を必要とする。
したがって本発明は、複数のバッテリを同時に装着して使用可能で、しかもホルダのような余分な構造体を必要としないバッテリを提供することを目的とする。
発明の開示
本発明に係るバッテリは、上記目的を達成するために、ビデオカメラ等の結合面または該結合面に装着したアダプタプレートに着脱自在に装着可能なバッテリであって、上記ビデオカメラ等の結合面または上記アダプタプレートに設けたＶ字状の受け溝とあり差し方式で嵌合するためのＶ字状の係合部を一面側に備えるバッテリにおいて、上記Ｖ字状の係合部を有する他のバッテリをあり差し方式で連結するために、上記ビデオカメラ等に装着する一面と対向する他面に、上記ビデオカメラ等の結合面または上記アダプタプレートに設けたＶ字状の受け溝と同形のＶ字状の受け溝を設けてなることを特徴とする。これによって、ビデオカメラまたはそれに取り付けたアダプタプレートに容易に装着できるだけでなく、ビデオカメラ等に装着した状態の他のバッテリに重ねて装着することによって複数のバッテリを同時に使用可能にすることができ、ボックス状のホルダ等の余分な構造体を必要としなくなる。
また本発明に係るバッテリは、上記目的を達成するために、自己容量を出力する回路と、上記他のバッテリからの自己容量出力を入力する端子と、上記自己容量出力回路の出力と上記入力端子からの入力とを平均して出力する平均化回路とを内蔵することを特徴とする。これによって、複数のバッテリを同時に使用した際に、２つのバッテリを一体に扱って残容量を出力することができる。
さらに本発明に係るバッテリは、上記目的を達成するために、上記ビデオカメラ等に装着する一面と対向する他面に設けるＶ字状の受け溝は、該他面に突設した一対の突部の間で形成し、該一対の突部の上部それぞれに他のバッテリまたは同等のあり差し方式で嵌合可能な他の機器との接続用の端子を頂部に有する突起及び接続ガイド用の突起を設け、これら突起の間に上記他の機器との接続用の他の端子を配してなることを特徴とする。これによって、ビデオカメラへの装着だけでなくバッテリ同士の結合または分離が極めて簡単に行える。
発明を実施するための最良の形態
以下本発明の実施の形態を図面を参照して説明する。なお以下では従来と共通する部分には共通する符号を付すにとどめ重複する説明は省略する。
図２は、本発明に係るバッテリの一実施形態を示す正面側斜視図（Ａ）と背面側斜視図（Ｂ）、図３は同正面側から見た分解斜視図、図４は同背面側から見た分解斜視図である。本実施形態のバッテリは、主に、リアカバー１０、トップカバー１１、電池パック１２及び基板１３から構成してあり、トップカバー１１及びリアカバー１０の側面をそれぞれ若干なだらかにくぼませて、その部位に凹凸部１４を水平に複数設け、手で持つ場合のすべり止めとしてある。すなわちこのバッテリは、ビデオカメラ等への着脱が図１でいえば上下方向になるのに対し、凹凸部１４はこの着脱方向と直交するように水平方向に設けてある。
リアカバー１０は、中央部分が凹ませてあって、その凹部１５の上部に、ビデオカメラに取り付けたアダプタプレートに対してあり差し式の嵌合構造によって取り付けるためのあり形状を有する略Ｖ字形状の嵌合板１６が固定してある。またリアカバー１０には、凹部１５の下端にリリース用突部１７の端部がのぞいている。さらにリアカバー１０の上部には、滑り止め１８付きのリリースボタン１９と、ビデオカメラに取り付けたアダプタプレートとの電気的接続用の端子を覆うスライドカバー２０、２０が設けてある。またさらに、スライドカバー２０、２０の外側位置には、ガイド溝２１、２１が形成してある。トップカバー１１は、リアカバー１０の凹部１５とほぼ対応する部位が突設してあって、これら突部２２、２２が、嵌合板１６と対応する形状の略Ｖ字形状の凹溝２２ａを形成している。また凹溝部２２の下端部にはが、上部には信号端子部２４、２４と、信号端子部２４との間に図示せぬ電源端子（リアカバー１０の内面側へ抜けた部分を符号２５で示してある。）を挟み、かつリアカバー１０のガイド溝２１内に挿入可能なガイド突起２６、２６が設けてある。
なおリアカバー１０の下端部は開口になっており、複数の電池をまとめた電池パック１２を搭載した基板１３の端子部２７がそこから外部へのぞくようにしてある。端子部２７は、充電端子、放電端子、アナログ出力、デジタルデータ入力端子、クロック端子、接地端子等を含む。さらにトップカバー１１の一側の側面には、電池パック１２を搭載した基板１３の表示ランプ部２８を外部から視認可能にするための穴２９が複数設けてある。またさらに、図４中の２９ａは基板１３に設けた電源端子、２９ｂはアナログ出力やクロックのための端子である。
図５はリアカバー１０の内面側の構造を示す図３よりさらに上方側から見た斜視図、図６はリアカバー１０に設けた着脱構造を示す背面図（Ａ）と断面図（Ｂ）である。この構造は主に、リリースボタン１９を上端にかぶせた可動部材３０、リアカバー１０の内側に固定したスプリングプレート３１、同じくリアカバー１０の内側に固定してあるスプリング受け３２、一対のコイルスプリング３３、３３、リリースボタン１９の開口に表裏方向で可動に取り付けたリリース用突部１７を可動に保持するためにリアカバー１０の内面側に固設した保持部材３４、及びリリース用突部１７を貫通して保持部材３４に支持されるピン３５から構成してある。コイルスプリング３３は、下端をスプリング受３２に固定し、上端を可動部材３０のスプリング受け３６に固定してあり、可動部材３０及びリリースボタン１９を上方へ押し上げ付勢している。
可動部材３０は、下端部が板バネ材３７で構成してあり、このバネ板材３７は、下端部近傍を図６（Ｂ）からよく分かるように曲折形成してある。そして保持部材３４に設けた表裏方向の長溝３８に嵌めたピン３５を板バネ材３７の下端部とスプリングプレート３１の下端部ではさみ、リリース用突部１７が長溝３８に沿う方向で可動に保持するとともに、リリース用突部１７がリアカバー１０から脱落しないようにしてある。
すなわちこの構造では、リリースボタン１９をコイルスプリング３３の付勢力に抗して押し下げると、可動部材３０もともに押し下げられ、板バネ材３７の下端部の曲折部分の斜面がピン３５をリアカバー１０の内側に向けて押す。ピン３５はリリース用突部１７とともに保持部材３４の長溝３８内でリアカバー１０の内側に向けて移動し、リリース用突部１７はビデオカメラに取り付けたアダプタプレート等との係止部やあるいは図示のバッテリと同じ構造のバッテリのトップカバー１１に設けた係止用の突部２３から外れ、バッテリ全体を上方へ持ち上げれば、嵌合板１６をアダプタプレートや他のバッテリ等から取り外せる。
なお図５中の３９は、基板１３のアナログ出力やクロックのための端子２９ｂと接触させるための端子、４０は２つの端子３９、３９を絶縁するための絶縁部材である。また２０ａはスライドカバー２０を下方へ突出付勢するためのスプリングである。
図７は各端子の接続構造を示す断面図で、（Ａ）は電源端子２５を介した電源の接続構造を、（Ｂ）は端子３９を介した信号の接続構造を示す。なお図中４１は信号端子部２４とガイド突起２６との間に設けた電源端子、また４２は信号端子部２４に設けてある信号端子である。
以上説明してきたように図示の実施形態のバッテリは、ビデオカメラ自体、あるいはそれに取り付けたアダプタプレートに着脱可能なだけでなく、同構造のバッテリを取り付け、あるいは同構造のバッテリに取り付け可能である。すなわち、図示の実施形態のバッテリと同じあり差し方式の着脱構造のビデオカメラ自体、アダプタプレート、バッテリと着脱自在となっている。
図８は、図示の実施形態のバッテリが内蔵する平均化回路の一例を示す回路図である。通常この種のバッテリは、残容量を出力してビデオカメラのファインダ等に表示させるために、自己容量出力回路５０及び自己容量出力端子５１を備えるが、本実施形態のバッテリは、それに加えてアナログ入力端子５２、平均化回路５３、平均化出力端子５４を備えている。これら回路は基板１３に設けてあり、各端子は既述の端子部２７に含まれる。
平均化回路５３は基本的には２つの抵抗Ｒ１、Ｒ２とオペアンプＯＰから構成してある。自己容量出力回路５０がバッテリとしての残容量を０−５Ｖのアナログ電圧で出力するとき、抵抗Ｒ１、Ｒ２の抵抗値が同じであれば抵抗Ｒ１、Ｒ２の中点電圧は、自己容量出力回路５０の出力電圧とアナログ入力端子５２から入力される他のバッテリの残容量を示す電圧の平均化された値を示す。また上述の方式で装着した２つのバッテリの絶対容量が異なる場合は、抵抗Ｒ１、Ｒ２の値を各バッテリの容量に応じた値とすれば、抵抗Ｒ１、Ｒ２の中点電圧は２つのバッテリの残容量を示す電圧の平均化された値を示す。そして２つのバッテリの残容量電圧の平均値はビデオカメラ自体あるいはアダプタプレートに取り付けた側のバッテリの平均化出力端子５４から出力し、ビデオカメラではこの値をあたかも一つのバッテリから出力された残容量の指標として扱うことができる。
図９は、上述した本実施形態のバッテリ２個をアダプタプレート３を介してビデオカメラ１に取り付ける例を示す図１相当の概略図である。まずビデオカメラ１に取り付けてあるアダプタプレート３に、本発明の上述してきた実施形態に係る第１のバッテリ６０を取り付ける。この第１のバッテリ６０のアダプタプレート３への取り付けは、リアカバー１０の凹部１５に設けてある嵌合板１６を、アダプタプレート３に設けてある図示せぬあり溝形状の溝に上方から差し込んで下降させ、アダプタプレート３へ第１のバッテリ６０を装着する。ついで、第１のバッテリ６０のトップカバー１１の凹部１５へ、第２のバッテリ６１のリアカバー１０に設けた嵌合板１６を、アダプタプレート３への取り付けと同様に上方から差し込んで下降させ、第１のバッテリ６０へ第１のバッテリ６０を装着する。
図１０はリアカバー１０に設ける着脱構造の他の例を示す正面図、図１１は同背面図、図１２は同斜視図、図１３は動作を示すための背面図である。この着脱構造は、可動部材３０を付勢するコイルスプリング３３に代えてねじりコイルバネ７０を用い、嵌合板１６の溝内にリリース用コマ７１とこれを嵌合板１６内に引き込み付勢する小さなコイルスプリング７２を設け、可動部材３０にこれと一体に動くロック解除部材７３を取り付けて構成してある。リリース用コマ７１の上縁とロック解除部材７３の下端縁にはそれぞれ斜面となる部位が形成してあり、両部位は摺接可能に当接している。図中７４は可動部材３０とロック解除部材７３の連結部材である。なおこの構造は、先に説明した着脱構造とは上述した点以外にも若干の形状、構造的な違いはあるが、ほぼ同一構造である。
この着脱構造では、リリースボタン１９をねじりコイルバネ７０の付勢力に抗して押し下げると、可動部材３０もともに押し下げられ、先に説明した構造と同様のリリース用突部１７に対する作用をなすとともに、ロック解除部材７３がリリース用コマ７１を嵌合板１６の外へコイルスプリング７２の付勢力に抗して押し出す。このリリース用コマ７１は、本実施形態のバッテリ同士のリリースに関しては機能しないが、本実施形態のバッテリを取り付けたビデオカメラがバッテリをリリースする構造として嵌合板１６の側方から作用する構造を有するものに対して機能する。
なお上記説明では本発明に係るバッテリをビデオカメラに用いるものとして説明したが、それ以外にもＶＴＲ、オーディオレコーダ、音声・映像編集装置、音声・映像分配・送受信機、取材用照明器具等にも本発明のバッテリを用いることもできることは言うまでもない。
【図面の簡単な説明】
図１は、従来のビデオカメラへのバッテリの取り付け構造を示す概略図である。
図２は、本発明に係るバッテリの一実施形態を示す正面側斜視図（Ａ）と背面側斜視図（Ｂ）である。
図３は、同正面側から見た分解斜視図である。
図４は、同背面側から見た分解斜視図である。
図５は、同リアカバーの内面側の構造を示す図３よりさらに上方側から見た斜視図である。
図６は、同リアカバーに設けた着脱構造を示す背面図（Ａ）と断面図（Ｂ）である。
図７は、同各端子の接続構造を示す断面図である。
図８は、同バッテリが内蔵する平均化回路の一例を示す回路図である。
図９は、図２の実施形態のバッテリ２個をアダプタプレートを介してビデオカメラに取り付ける例を示す図１相当の概略図である。
図１０は、リアカバーに設ける着脱構造の他の例を示す正面図である。
図１１は、同背面図である。
図１２は、同斜視図である。
図１３は、同動作を示すための背面図である。
【図１】
0004785318.tif 000002
【図２】
0004785318.tif 000003
【図３】
0004785318.tif 000004
【図４】
0004785318.tif 000005
【図５】
0004785318.tif 000006
【図６】
0004785318.tif 000007
【図７】
0004785318.tif 000008
【図８】
0004785318.tif 000009
【図１０】
0004785318.tif 000010
【図１１】
0004785318.tif 000011
【図１２】
0004785318.tif 000012
【図１３】
0004785318.tif 000013
【図９】
0004785318.tif 000014